(57)【要約】【課題】簡単な構成で強度に優れ、かつカム環の軸方向長の短縮を図ることが可能なレンズ鏡筒の繰出カム機構を提供する。【解決手段】カム環の周面上に形成されるカム溝は、その深さ方向に位置を異ならせて、カム環の軸方向端面への接近領域で該端面に開口する開放形状溝となる幅広溝部と、同接近領域で該端面に開口しない閉鎖形状溝を維持する幅狭溝部とを有する。カム溝により位置制御される移動部材に設けたカムフォロアは、カム溝の幅広溝部に嵌る大径部と、幅狭溝部に嵌る小径部を有し、カム環に対する移動部材の光軸方向の移動端では、大径部の一部が幅広溝部の開口部を通してカム溝外に離脱し、小径部は幅狭溝部との嵌合を維持する。【選択図】図９
2011158592.tif 000002
【特許請求の範囲】
【請求項１】
カム溝が周面に形成され回転可能なカム環と、上記カム溝に係合するカムフォロアを有し光軸方向に移動可能な移動部材とを有し、上記カム環の回転に従って上記移動部材を光軸方向に前後移動させるレンズ鏡筒の繰出カム機構において、
上記カム溝は、その深さ方向に位置を異ならせて、
上記カム環の軸方向端面への接近領域で、該端面に開口する開放形状溝となる幅広溝部と；
上記カム環の軸方向端面への接近領域で、該端面に開口しない閉鎖形状溝を維持する幅狭溝部と；
を有し、
上記カムフォロアは、上記幅広溝部に嵌る大径部と、上記幅狭溝部に嵌る小径部を有し、上記カム環に対する上記移動部材の光軸方向の移動端で、上記大径部の一部が上記幅広溝部の開口部を通してカム溝外に離脱し、上記小径部は幅狭溝部との嵌合を維持することを特徴とするレンズ鏡筒の繰出カム機構。
【請求項２】
請求項１記載のレンズ鏡筒の繰出カム機構において、上記カム溝の上記カム環端面への接近領域で、上記幅広溝部は、溝幅方向に離間する一対の対向壁面のうちカム環端面側の一方が存在しない片面カム溝を構成し、上記幅狭溝部は、溝幅方向に離間する一対の対向壁面が残存する両面カム溝を構成するレンズ鏡筒の繰出カム機構。
【請求項３】
請求項２記載のレンズ鏡筒の繰出カム機構において、上記カム溝の上記カム環端面への接近領域は、カム環の軸線と略直交する方向に延びる周方向溝部であるレンズ鏡筒の繰出カム機構。
【請求項４】
請求項２記載のレンズ鏡筒の繰出カム機構において、上記カム溝の上記カム環端面への接近領域は、該カム環の端面方向に向けて凸となる山形軌跡の溝部であるレンズ鏡筒の繰出カム機構。
【請求項５】
請求項２ないし４のいずれか１項記載のレンズ鏡筒の繰出カム機構において、上記カム溝の上記幅広溝部の一対の対向壁面のうち、上記片面カム溝区間で存在しなくなる一方の対向壁面は、該片面カム溝区間で残される他方の対向壁面とは異なる軌跡でカム環の端面まで延設されるレンズ鏡筒の繰出カム機構。
【請求項６】
請求項５記載のレンズ鏡筒の繰出カム機構において、上記カム溝は、上記カム環端面への接近領域に続いて、カム環の軸線に対して傾斜するリード溝区間を有し、上記片面カム溝区間で存在しなくなる上記一方の対向壁面は、該リード溝区間と略平行にカム環の端面まで延設されるレンズ鏡筒の繰出カム機構。
【請求項７】
請求項２ないし６のいずれか１項記載のレンズ鏡筒の繰出カム機構において、上記幅広溝部と幅狭溝部のそれぞれにおける上記一対の対向壁は、深さ方向に進むにつれて徐々に互いの間隔を狭くする一対の傾斜面であるレンズ鏡筒の繰出カム機構。
【請求項８】
請求項７記載のレンズ鏡筒の繰出カム機構において、上記幅広溝部の一対の傾斜面と上記幅狭溝部の一対の傾斜面の間にそれぞれ、該幅広溝部の底面を構成する中間底面部が形成されているレンズ鏡筒の繰出カム機構。
【請求項９】
請求項７記載のレンズ鏡筒の繰出カム機構において、上記幅広溝部と幅狭溝部の上記一対の傾斜面のうち少なくとも一方は、該幅広溝部と幅狭溝部に亘って段差のない面一の傾斜面であるレンズ鏡筒の繰出カム機構。
【請求項１０】
請求項１ないし９のいずれか１項記載のレンズ鏡筒の繰出カム機構において、該レンズ鏡筒は、上記移動部材を光軸方向の後方移動端に位置させる収納状態と、該移動部材を光軸方向前方に繰り出す撮影状態に動作可能であり、
上記カム溝の上記カム環端面への接近領域は、上記収納状態での上記カムフォロアの位置を定める収納用区間であるレンズ鏡筒の繰出カム機構。
【発明の詳細な説明】
【技術分野】
【０００１】
本発明はレンズ鏡筒の繰出カム機構に関する。
【背景技術】
【０００２】
カメラの小型化に対する要求から、カム環による被駆動部材（例えばズームレンズを構成するレンズ群）の光軸方向への駆動量は確保しつつ、カム環の軸方向長を短くすることが求められている。例えば、特許文献１では、カム環の端部においてカム溝の使用域の一部を、溝幅方向に離間する一対の対向壁面（傾斜面）の一方を残し他方を除去した片面カム溝区間として形成することで軸方向長の短縮を図っている。
【先行技術文献】
【特許文献】
【０００３】
【特許文献１】特開２００７-１３９９６４号公報
【発明の概要】
【発明が解決しようとする課題】
【０００４】
特許文献１の繰出カム機構では、カム溝の一対の対向壁面が存在する両面カム溝区間から、その一方が存在しなくなる片面カム溝区間に移行する部分で、強度的に弱い部分が形成される可能性があった。具体的には、両面カム溝区間から片面カム溝区間に移行する部分のカム溝の軌跡が、カム環の軸線に対する傾斜を大きくしている（カム環の周方向に近い角度である）場合に、存在しなくなる側の対向壁面とカム環端面との間に、鋭角状の薄肉部分が形成されやすい。このような薄肉部分は、外部から強い力が加わった場合に破損するおそれがある。
【０００５】
また、カム溝の一部を片面カム溝区間とした場合、該片面カム溝区間で対向壁面が存在しない側へのカムフォロアの脱落を防ぐため、別に脱落防止手段が必要となり、構成が複雑化するおそれがある。
【０００６】
本発明は、以上の問題点に鑑みてなされたものであり、簡単な構成で強度に優れ、かつカム環の軸方向長の短縮を図ることが可能なレンズ鏡筒の繰出カム機構を提供することを目的とする。
【課題を解決するための手段】
【０００７】
本発明は、カム溝が周面に形成され回転可能なカム環と、カム溝に係合するカムフォロアを有し光軸方向に移動可能な移動部材とを有し、カム環の回転に従って移動部材を光軸方向に前後移動させるレンズ鏡筒の繰出カム機構において、以下の構成を備えることを特徴とする。カム溝は、その深さ方向に位置を異ならせて、カム環の軸方向端面への接近領域で該端面に開口する開放形状溝となる幅広溝部と、同接近領域で該端面に開口しない閉鎖形状溝を維持する幅狭溝部とを有する。カムフォロアは、カム溝の幅広溝部に嵌る大径部と、幅狭溝部に嵌る小径部を有し、カム環に対する移動部材の光軸方向の移動端では、大径部の一部が幅広溝部の開口部を通してカム溝外に離脱し、小径部は幅狭溝部との嵌合を維持する。なお、本発明でのカム環の軸方向端面とは、カム環の端部形状が、軸方向への凹凸を含む非面一形状である場合と、凹凸を含まない面一形状である場合とを問わず、軸方向に臨む面の全域を指すものであり、凹凸を含む端部形状における軸方向への最突出部分のみを指すものではない。
【０００８】
より具体的には、カム溝のカム環端面への接近領域では、幅広溝部が、溝幅方向に離間する一対の対向壁面のうちカム環端面側の一方が存在しない片面カム溝を構成し、幅狭溝部が、溝幅方向に離間する一対の対向壁面が残存する両面カム溝を構成するように構成するとよい。カム溝においてこのような片面カム溝と両面カム溝を組み合わせて備える部分は、カム環の軸線と略直交する方向に延びる周方向溝部や、カム環の端面方向に向けて凸となる山形軌跡の溝部などが選択可能である。
【０００９】
カム溝の幅広溝部の一対の対向壁面のうち、片面カム溝区間で存在しなくなる一方の対向壁面は、該片面カム溝区間で残される他方の対向壁面とは異なる軌跡でカム環の端面まで延設されることが好ましい。より詳細には、カム溝が、カム環端面への接近領域に続いて、カム環の軸線に対して傾斜するリード溝区間を有しており、片面カム溝区間で存在しなくなる一方の対向壁面は、該リード溝区間と略平行にカム環の端面まで延設されるようにするとよい。
【００１０】
カム溝の幅広溝部と幅狭溝部のそれぞれにおける一対の対向壁は、深さ方向に進むにつれて徐々に互いの間隔を狭くする一対の傾斜面であることが好ましい。この場合、幅広溝部の一対の傾斜面と幅狭溝部の一対の傾斜面の間にそれぞれ、該幅広溝部の底面を構成する中間底面部が形成された２段状のカム溝としてもよいし、あるいは幅広溝部と幅狭溝部の一対の傾斜面のうち少なくとも一方を、該幅広溝部と幅狭溝部に亘って段差のない面一の傾斜面としてもよい。
【００１１】
本発明を適用するレンズ鏡筒は、カムフォロアを備えた移動部材を光軸方向の後方移動端に位置させる収納状態と、該移動部材を光軸方向前方に繰り出す撮影状態に動作可能であり、カム溝におけるカム環端面への接近領域は、収納状態でのカムフォロアの位置を定める収納用区間であることが好ましい。
【発明の効果】
【００１２】
以上の本発明のレンズ鏡筒の繰出カム機構では、カム溝におけるカム環端面への接近領域にカムフォロアが位置するとき、該カムフォロアの大径部については、その一部をカム溝の幅広溝部（片面カム溝）の開口部を通してカム溝外に離脱させ、該カムフォロアの小径部については、カム溝の幅狭溝部（両面カム溝）との係合が維持される。よって、幅広溝部に関しては、カム環端部での設計の自由度が高くなり、カム環端面との間に薄肉の端面壁部が形成されることを回避することができる。また、カムフォロアとカム溝のみで該カムフォロアの脱落を防ぐことができるので、別途脱落防止手段を要さず、構成が簡単である。また、幅狭溝部とカム環端面の間に十分な強度の端面壁部を形成しても、幅広溝部の背後を同等の厚さの端面壁部で塞ぐ場合に比して、カム環の軸方向長の短縮が達成される。
【図面の簡単な説明】
【００１３】
【図１】本発明を適用したズームレンズ鏡筒の一実施形態を示す撮影状態（ズーム域）での断面図である。
【図２】同ズームレンズ鏡筒の収納（沈胴）状態での断面図である。
【図３】同ズームレンズ鏡筒の主要な構成要素の分解斜視図である。
【図４】カム環の展開平面図である。
【図５】繰出筒、直進案内環及び２群レンズ移動枠の展開平面図である。
【図６】１群用カムフォロアが１群制御カム溝の接続湾曲区間に位置するときの繰出筒とカム環の一部を示す斜視図である。
【図７】図４のＤ１-Ｄ１線に沿う１群制御カム溝の断面図である。
【図８】本発明の第１の実施形態において、１群用カムフォロアが１群制御カム溝の収納用区間に位置する状態を示す平面図である。
【図９】図８のＤ２-Ｄ２線に沿う断面図である。
【図１０】図８及び図９の１群制御カム溝の収納用区間付近を示す斜視図である。
【図１１】図８及び図９の１群制御カム溝の収納用区間付近を示す斜視図である。
【図１２】本発明の第２の実施形態において、１群用カムフォロアが１群制御カム溝の収納用区間に位置する状態を示す平面図である。
【図１３】図１２のＤ３-Ｄ３線に沿う断面図である。
【図１４】図１２及び図１３の１群制御カム溝の収納用区間付近を示す斜視図である。
【図１５】図１２及び図１３の１群制御カム溝の収納用区間付近を示す斜視図である。
【図１６】本発明の第３の実施形態において、１群用カムフォロアが１群制御カム溝の収納用区間に位置する状態を示す平面図である。
【図１７】図１６のＤ４-Ｄ４線に沿う断面図である。
【図１８】図１６及び図１７の１群制御カム溝の収納用区間付近を示す斜視図である。
【図１９】図１６及び図１７の１群制御カム溝の収納用区間付近を示す斜視図である。
【図２０】本発明の第４の実施形態において、１群用カムフォロアが１群制御カム溝の光軸方向の最後方領域に位置する状態を示す平面図である。
【図２１】本発明の比較例としてのカム環端部付近におけるカム溝とカムフォロアの平面図である。
【図２２】図２１のＤ５-Ｄ５線に沿う断面図である。
【図２３】比較例のカム溝の周方向溝区間付近を示す斜視図である。
【図２４】比較例のカム溝の周方向溝区間付近を示す斜視図である。
【発明を実施するための形態】
【００１４】
図１及び図２は、本発明を適用した沈胴式ズームレンズ鏡筒ＺＬの一実施形態を示している。このズームレンズ鏡筒ＺＬの撮影光学系は、物体（被写体）側から順に第１レンズ群ＬＧ１、シャッタＳ、開口可変絞りＡ、第２レンズ群ＬＧ２、第３レンズ群ＬＧ３、ローパスフィルタ２５及び撮像素子２６を備えている。以下の説明中で光軸方向とは、この撮影光学系の光軸Ｏと平行な方向を意味し、前方とは光軸方向の前方（被写体側）、後方とは光軸方向の後方（像面側）を意味する。
【００１５】
ズームレンズ鏡筒ＺＬは固定部材として筒状のハウジング２２を有し、ハウジング２２の後部に撮像素子ホルダ２１が固定される。ローパスフィルタ２５と撮像素子２６はユニット化されて撮像素子ホルダ２１の前面部に固定されている。
【００１６】
第３レンズ群ＬＧ３は、ズームレンズ鏡筒ＺＬにおけるフォーカスレンズ群である。図３に示すように、３群レンズ枠５１は、第３レンズ群ＬＧ３を保持するレンズ保持筒部５１ａと、該レンズ保持筒部５１ａから外径方向に延設される一対のガイド腕部５１ｂ、５１ｃを有する。レンズ保持筒部５１ａとガイド腕部５１ｃの境界部分には、２群レンズ保持枠６に保持される第２レンズ群ＬＧ２が進入可能な２群レンズ収納凹部５１ｄが形成されている。一方のガイド腕部５１ｂに形成されたガイド孔に対して、ハウジング２２と撮像素子ホルダ２１に固定されたガイド軸５２が挿通され、このガイド軸５２を介して３群レンズ枠５１が光軸方向に直進移動可能に支持されている。他方のガイド腕部５１ｃの先端に設けた回り止め部が、ハウジング２２内に形成した回転規制部（不図示）に係合して３群レンズ枠５１の回転を規制する。３群レンズ枠５１は、ハウジング２２の外面に支持されるトーションバネからなる３群付勢バネ５５によって光軸方向前方へ付勢され、ＡＦナット５４に当て付いて前方への移動が規制される。ＡＦナット５４は、リードスクリュー５８に螺合しており、ＡＦモータ１６０によってリードスクリュー５８を回転させることにより光軸方向に移動される。したがって、３群レンズ枠５１はＡＦモータ１６０の駆動によって光軸方向に移動される。
【００１７】
ハウジング２２の内側には、３群レンズ枠５１の支持駆動手段とは別に、ズームモータ１５０により駆動制御される変倍群（カム環）ブロックが支持されている。変倍群（カム環）ブロックは、図３に示すように、直進案内環１０、カム環１１、繰出筒１２及び２群レンズブロック８０を含んでいる。
【００１８】
カム環１１は、繰出筒１２と共にズームレンズ鏡筒ＺＬの外観筒を構成しており、ハウジング２２の内周面に形成したカム環ガイド溝２２ａに対して摺動可能に嵌るガイド突起１１ａを有する。カム環１１は、ズームモータ１５０（図３）により回転駆動されるズームギヤ２８の駆動力をギヤ部１１ｂで受けて回転され、カム環ガイド溝２２ａの案内により回転しながら光軸方向に移動する。
【００１９】
直進案内環１０は、ハウジング２２の内面に形成した直進案内溝２２ｂに対して直進案内突起１０ａを摺動可能に係合させることで、光軸方向に直進移動可能に案内されている。直進案内突起１０ａの基部を構成する壁部と回転案内爪１０ｂの間に回転案内爪１１ｃを挟むことによって、直進案内環１０とカム環１１は、相対回転は可能で光軸方向に共に移動するように結合されている。
【００２０】
２群レンズブロック８０は、２群レンズ移動枠８の前部にシャッタブロック１００を固定した構成であり、２群レンズ移動枠８から外径方向に突出する直進案内キー８ａを、直進案内環１０に形成した光軸方向への長孔である直進案内スロット１０ｃに対して摺動可能に係合させることにより光軸方向へ直進案内されている。シャッタＳは光軸Ｏと平行な軸により軸支された複数枚のシャッタ羽根で構成され、この複数のシャッタ羽根をシャッタブロック１００に内蔵したアクチュエータにより駆動することで、シャッタＳが開閉される。シャッタブロック１００の後部には、ズームレンズ鏡筒ＺＬの状態に応じて開口径が変化する開口可変絞りＡが設けられている。開口可変絞りＡは、光軸Ｏと平行な軸により軸支された複数枚の絞り羽根で構成され、ズーム域のテレ端側（図１の下半断面）よりもワイド端側（図１の上半断面）で開口径を小さくするように開度が切り替えられるが、その両方の状態において、絞り開口内への第２レンズ群ＬＧ２の一部の進入を許す開口径となっている。
【００２１】
また、２群レンズ移動枠８の内部には、第２レンズ群ＬＧ２を保持した２群レンズ保持枠６が支持されている。２群レンズ保持枠６は、光軸方向に軸線を向けた回動軸を中心として揺動可能に支持されており、図１に示す撮影状態では、第２レンズ群ＬＧ２の中心を光軸Ｏと一致させる挿入位置に保持される。ズームレンズ鏡筒ＺＬの収納動作によって２群レンズ移動枠８が光軸方向後方に移動されると、２群レンズ保持枠６が撮像素子ホルダ２１に設けた離脱制御突起４０に当接して押圧回動され、図２に示す収納状態では、第２レンズ群ＬＧ２を、２群レンズ移動枠８に形成した径方向貫通孔８ｓや直進案内環１０に形成した径方向貫通孔１０ｓに進入させる離脱位置に保持される。２群レンズ保持枠６の詳細な支持駆動構造については、本発明の要旨と関係がないので詳細な説明を省略する。
【００２２】
カム環１１の内周面に形成した２群制御カム溝ＣＧ２に対し、２群レンズ移動枠８に設けた２群用カムフォロアＣＦ２が摺動可能に係合している。図４及び図５に示すように、２群制御カム溝ＣＧ２と２群用カムフォロアＣＦ２はそれぞれ、カム環１１及び２群レンズ移動枠８の周方向に位置を異ならせて３つずつ設けられている。２群用カムフォロアＣＦ２は、直進案内キー８ａの外径部に設けられ、直進案内環１０を径方向に貫通する直進案内スロット１０ｃを通して２群用カムフォロアＣＦ２との係合位置まで突出されている。２群レンズ移動枠８（２群レンズブロック８０）は直進案内環１０を介して光軸方向に直進案内されているため、カム環１１が回転すると、２群制御カム溝ＣＧ２の形状に従って、２群レンズ移動枠８（２群レンズブロック８０）が光軸方向へ所定の軌跡で移動する。図４における２群制御カム溝ＣＧ２内のＲ２、Ｗ２、Ｔ２はそれぞれ、ズームレンズ鏡筒ＺＬが収納状態（図２）、ズーム域のワイド端（図１の上半）、ズーム域のテレ端（図１の下半）にあるときの、２群用カムフォロアＣＦ２の位置を示している。
【００２３】
繰出筒１２内には第１レンズ群ＬＧ１が保持されている。繰出筒１２は内面側に設けた直進案内キー１２ａ（図１及び図５）を直進案内環１０の直進案内溝１０ｄに対して摺動可能に係合させることで光軸方向へ直進案内されている。なお、繰出筒１２の直進案内機構である直進案内溝１０ｄ及び直進案内キー１２ａと、２群レンズブロック８０の直進案内機構である直進案内スロット１０ｃ及び直進案内キー８ａを、図１では同一断面位置に示しているが、図３から分かるように、それぞれの直進案内機構の実際の周方向位置は異なる。
【００２４】
カム環１１の内周面に形成した１群制御カム溝ＣＧ１に対し、繰出筒１２の後端部付近から外径方向へ突出する１群用カムフォロアＣＦ１が摺動可能に係合している。図４及び図５に示すように、１群制御カム溝ＣＧ１と１群用カムフォロアＣＦ１はそれぞれ、カム環１１及び繰出筒１２の周方向に位置を異ならせて３つずつ設けられている。繰出筒１２は直進案内環１０を介して光軸方向に直進案内されているため、カム環１１が回転すると、１群制御カム溝ＣＧ１の形状に従って繰出筒１２が光軸方向へ所定の軌跡で移動する。図４における１群制御カム溝ＣＧ１内のＲ１、Ｗ１、Ｔ１はそれぞれ、ズームレンズ鏡筒ＺＬが収納状態（図２）、ズーム域のワイド端（図１の上半）、ズーム域のテレ端（図１の下半）にあるときの、１群用カムフォロアＣＦ１の位置を示している。
【００２５】
図７に示すように、１群制御カム溝ＣＧ１は、その軌跡と直交する方向の断面形状が、カム環１１の内周面側から深さ方向の途中位置までを占める幅広の本体案内部（幅広溝部）ＣＧ１-ａと、該本体案内部ＣＧ１-ａからカム溝底部までを占める幅狭の頭部案内部（幅狭溝部）ＣＧ１-ｂを有する二段底形状の有底カム溝となっている。本体案内部ＣＧ１-ａは、溝幅方向に離間し深さ方向（図７の上方）に進むにつれて徐々に互いの間隔を狭くする一対の傾斜面（対向壁面）Ｋａｆ、Ｋａｒ（図７）を有する台形状断面となっている。頭部案内部ＣＧ１-ｂも同様に、溝幅方向に離間し深さ方向（図７の上方）に進むにつれて徐々に互いの間隔を狭くする一対の傾斜面（対向壁面）Ｋｂｆ、Ｋｂｒ（図７）を有する台形状断面となっている。本体案内部ＣＧ１-ａと頭部案内部ＣＧ１-ｂの間には、該本体案内部ＣＧ１-ａの底部を構成する一対の中間底面Ｋｃが形成されている。この一対の中間底面Ｋｃの溝幅方向外側の縁部が、本体案内部ＣＧ１-ａで最も溝幅の狭い部分を構成し、一対の中間底面Ｋｃの溝幅方向内側の縁部が、頭部案内部ＣＧ１-ｂで最も溝幅の広い部分を構成している。つまり、頭部案内部ＣＧ１-ｂよりも本体案内部ＣＧ１-ａの方が溝幅が広く、頭部案内部ＣＧ１-ｂは１群制御カム溝ＣＧ１における幅狭溝部を構成し、本体案内部ＣＧ１-ａは１群制御カム溝ＣＧ１における幅広溝部を構成している。
【００２６】
図４に示すように、１群制御カム溝ＣＧ１は、収納位置Ｒ１付近から光軸方向の斜め前方に延びるリード区間ＣＧ１-ｃと、ワイド端位置Ｗ１からテレ端位置Ｔ１までのズームカム区間ＣＧ１-ｄを含んでいる。ズームカム区間ＣＧ１-ｄは光軸方向後方に向けて凸となる山形形状の軌跡をなしており、リード区間ＣＧ１-ｃとズームカム区間ＣＧ１-ｄの間は、光軸方向前方に向けて凸となる山形形状の軌跡の接続湾曲区間ＣＧ１-ｅで接続されている。また、テレ端位置Ｔ１の先は、１群制御カム溝ＣＧ１の終端区間ＣＧ１-ｆとなっている。接続湾曲区間ＣＧ１-ｅと終端区間ＣＧ１-ｆが、１群制御カム溝ＣＧ１のうち最も光軸方向前方に位置する（カム環１１の前後の軸方向端面の一方である前端面に接近した）領域となっている。図４に示すように、この１群制御カム溝ＣＧ１の最前方領域では、本体案内部ＣＧ１-ａを構成する一対の傾斜面Ｋａｆ、Ｋａｒのうち光軸方向前方に位置する傾斜面Ｋａｆが、深さ方向の途中位置からカム溝底部までの（カム環１１の内周面まで達しない）幅狭の部分傾斜面Ｋａｖとなっており、この部分傾斜面Ｋａｖからカム環１１の内周面（１群制御カム溝ＣＧ１の周面側開口部）までが、光軸Ｏ（カム環１１の軸線）と略直交する軸直交面ＣＧ１-ｇとして形成されている。そして、軸直交面ＣＧ１-ｇの前部は、カム環１１の前端を構成する前端壁部により塞がれている。
【００２７】
１群用カムフォロアＣＦ１は、１群制御カム溝ＣＧ１の本体案内部ＣＧ１-ａに嵌合可能な大径の本体部（大径部）ＣＦ１-ａと、頭部案内部ＣＧ１-ｂに嵌合可能な小径の頭部（小径部）ＣＦ１-ｂを有する二段状の突起部である。本体部ＣＦ１-ａは、本体案内部ＣＧ１-ａの一対の傾斜面Ｋａｆ、Ｋａｒに対して当接可能な円錐状部であり、頭部ＣＦ１-ｂは、頭部案内部ＣＧ１-ｂの一対の傾斜面Ｋｂｆ、Ｋｂｒに対して当接可能な円錐状部である。本体部ＣＦ１-ａと頭部ＣＦ１-ｂの間には、１群制御カム溝ＣＧ１の中間底面Ｋｃに対向する中間環状面ＣＦ１-ｃが形成されている。図５、図６、図８及び図９に示すように、１群用カムフォロアＣＦ１にはさらに、本体部ＣＦ１-ａの一部の周方向領域を除去する態様で、１群制御カム溝ＣＧ１の軸直交面ＣＧ１-ｇと略平行な軸直交面ＣＦ１-ｄが形成されている。１群用カムフォロアＣＦ１を図５や図８のように平面視すると、本体部ＣＦ１-ａと軸直交面ＣＧ１-ｇで囲まれる「Ｄ」状の形をしている。１群用カムフォロアＣＦ１が１群制御カム溝ＣＧ１の接続湾曲区間ＣＧ１-ｅや終端区間ＣＧ１-ｆ内に位置するときには、本体部ＣＦ１-ａが部分傾斜面Ｋａｖに当接すると共に、軸直交面ＣＦ１-ｄが軸直交面ＣＧ１-ｇに対して若干離間した状態で対向する。
【００２８】
１群制御カム溝ＣＧ１の収納位置Ｒ１を含む収納用区間（周方向溝部）ＣＧ１-ｘの詳細形状を図８ないし図１１に示す。この収納用区間ＣＧ１-ｘは、１群制御カム溝ＣＧ１のうち最も光軸方向後方に位置する（カム環１１の前後の軸方向端面の一方である後端面に接近した）領域であり、光軸Ｏ（カム環１１の軸線）と略直交しカム環１１の周方向に向く周方向溝部となっている。頭部案内部ＣＧ１-ｂは、リード区間ＣＧ１-ｃに続いて収納用区間ＣＧ１-ｘでも、前後一対の傾斜面Ｋｂｆ、Ｋｂｒが残存する両面カム溝（閉鎖形状溝）として形成されている。つまり、収納用区間ＣＧ１-ｘでの頭部案内部ＣＧ１-ｂは、一対の傾斜面Ｋｂｆ、Ｋｂｒを光軸方向の前後に一定の間隔で離間させており、光軸方向後方に位置する傾斜面Ｋｂｒの後部が、カム環１１の後端壁部１１ｄにより塞がれている。この後端壁部１１ｄの光軸方向の肉厚を図８及び図９に「Ｔ」で示した。図９から分かるように後端壁部１１ｄの肉厚は、１群制御カム溝ＣＧ１の深さ方向に進むにつれて増大するが、Ｔは、後端壁部１１ｄの最大肉厚部分を示している。１群制御カム溝ＣＧ１ではさらに、収納用区間ＣＧ１-ｘに続いて、頭部案内部ＣＧ１-ｂに対して１群用カムフォロアＣＦ１の頭部ＣＦ１-ｂを、カム環１１の後端側に挿脱可能とさせる挿脱用区間ＣＧ１-sが形成されている。ズームレンズ鏡筒ＺＬの使用状態（製品完成状態）で用いられる１群制御カム溝ＣＧ１の有効使用域は、この挿脱用区間ＣＧ１-sと上述の終端区間ＣＧ１-ｆを除く、収納用区間ＣＧ１-ｘ、リード区間ＣＧ１-ｃ及びズームカム区間ＣＧ１-ｄである。通常の使用状態では、挿脱用区間ＣＧ１-sや終端区間ＣＧ１-ｆに１群用カムフォロアＣＦ１が達することがないように、カム環１１の回転範囲（ズームモータ１５０の駆動量）が制御される。
【００２９】
頭部案内部ＣＧ１-ｂと異なり、収納用区間ＣＧ１-ｘでの本体案内部ＣＧ１-ａは、光軸方向前方の傾斜面Ｋａｆは残されているが、光軸方向後方の傾斜面Ｋａｒが存在せず、カム環１１の後端面側に開口された片面カム溝（開放形状溝）として形成されている。詳細には、本体案内部ＣＧ１-ａの光軸方向後方の傾斜面Ｋａｒは、リード区間ＣＧ１-ｃの軌跡と平行にカム環１１の後端まで直線状に延設されて、該カム環１１の後端面に連通している。別言すれば、本体案内部ＣＧ１-ａは、リード区間ＣＧ１-ｃまでは一定の幅を保ち、収納用区間ＣＧ１-ｘでのみカム環１１の周方向への溝幅を拡大した形状とみなすことができる。
【００３０】
図８、図９及び図１１のように１群用カムフォロアＣＦ１が１群制御カム溝ＣＧ１の収納用区間ＣＧ１-ｘ内に位置する状態では、軸直交面ＣＦ１-ｄを除く本体部ＣＦ１-ａの前面領域と、本体案内部ＣＧ１-ａの前方の傾斜面Ｋａｆとの当接関係により、１群用カムフォロアＣＦ１の光軸方向前方への移動を規制することができるが、本体部ＣＦ１-ａの後方の一部は１群制御カム溝ＣＧ１の後方に離脱し、１群用カムフォロアＣＦ１は本体案内部ＣＧ１-ａによっては光軸方向後方への移動規制を受けない。これに対し、１群用カムフォロアＣＦ１の頭部ＣＦ１-ｂは、収納用区間ＣＧ１-ｘにおいても両面カム溝を維持した頭部案内部ＣＧ１-ｂに係合しており、一対の傾斜面Ｋｂｆ、Ｋｂｒにより光軸方向の前後移動が規制されるため、１群制御カム溝ＣＧ１から後方への１群用カムフォロアＣＦ１の離脱が規制される。
【００３１】
１群用カムフォロアＣＦ１が１群用カムフォロアＣＦ１内の収納用区間ＣＧ１-ｘ以外の領域に位置するときは、本体部ＣＦ１-ａが本体案内部ＣＧ１-ａの一対の傾斜面Ｋａｆ、Ｋａｒの間で保持され、１群用カムフォロアＣＦ１が本体案内部ＣＧ１-ａによって位置制御される。なお、１群制御カム溝ＣＧ１のうち、頭部案内部ＣＧ１-ｂよりも本体案内部ＣＧ１-ａの方が溝幅及び深さともに大きいため、高精度な位置制御という観点から、収納用区間ＣＧ１-ｘ以外では、１群用カムフォロアＣＦ１の案内を本体案内部ＣＧ１-ａの傾斜面Ｋａｆ、Ｋａｒを用いて行うことが好ましい。この場合、精度誤差による本体案内部ＣＧ１-ａ側との干渉を防ぐため、頭部案内部ＣＧ１-ｂと頭部ＣＦ１-ｂの間は、若干の余裕をもった遊嵌関係にしておくとよい。上述の通り、収納用区間ＣＧ１-ｘでは、頭部案内部ＣＧ１-ｂと頭部ＣＦ１-ｂの嵌合により１群用カムフォロアＣＦ１の光軸方向位置が規制されるが、収納用区間ＣＧ１-ｘはズームレンズ鏡筒ＺＬの収納状態で用いられる領域であり、このとき繰出筒１２に支持される第１レンズ群ＬＧ１を厳密に位置決めすることは光学性能上要求されないため、頭部案内部ＣＧ１-ｂと頭部ＣＦ１-ｂが遊嵌する関係であっても、実用上は問題とならない。
【００３２】
以上の構造からなるズームレンズ鏡筒ＺＬは次のように動作する。図１に示す撮影状態（ズーム域）でズームモータ１５０を正逆に駆動すると、ハウジング２２に対してカム環１１が光軸方向に移動する。カム環１１の光軸方向位置はカム環ガイド溝２２ａの軌跡により制御される。第１レンズ群ＬＧ１を支持する繰出筒１２と、第２レンズ群ＬＧ２を支持する２群レンズブロック８０（２群レンズ移動枠８）はそれぞれ、カム環１１の回転に応じてカムフォロアＣＦ１、ＣＦ２がカム溝ＣＧ１、ＣＧ２の案内を受けて光軸方向に相対移動し、図１上半のワイド端では第１レンズ群ＬＧ１と第２レンズ群ＬＧ２の間隔が大きく、図２下半のテレ端では第１レンズ群ＬＧ１と第２レンズ群ＬＧ２の間隔が小さくなる。ワイド端からテレ端までのズーム域全体において、１群用カムフォロアＣＦ１は、１群制御カム溝ＣＧ１のズームカム区間ＣＧ１-ｄによって位置制御される。ズームカム区間ＣＧ１-ｄでは、１群制御カム溝ＣＧ１は本体案内部ＣＧ１-ａと頭部案内部ＣＧ１-ｂのいずれも一対の傾斜面Ｋａｆ、Ｋａｒと一対の傾斜面Ｋｂｆ、Ｋｂｒを備えた両面カム溝であるため、１群用カムフォロアＣＦ１の全体（特に大径部ＣＦ１-ａ）が１群制御カム溝ＣＧ１による案内を受け、繰出筒１２の位置を高精度に制御することができる。また、ワイド端からテレ端までのズーム域全体において、２群レンズ保持枠６は、第２レンズ群ＬＧ２の中心を光軸Ｏに一致させる挿入位置（図１）に保持される。
【００３３】
一方、図１に示す撮影状態（より詳細には図１上半のワイド端）からズームモータ１５０を鏡筒収納方向に駆動させると、ガイド突起１１ａがカム環ガイド溝２２ａの案内を受け、カム環１１が回転しながら光軸方向後方へ移動される。繰出筒１２と２群レンズブロック８０（２群レンズ移動枠８）は、カム環１１上のカム溝ＣＧ１、ＣＧ２の軌跡による所定の相対移動を伴いつつ、カム環１１と共に光軸方向後方へ移動する。この収納動作では、１群用カムフォロアＣＦ１は、１群制御カム溝ＣＧ１の接続湾曲区間ＣＧ１-ｅからリード区間ＣＧ１-ｃを通って収納用区間ＣＧ１-ｘ（収納位置Ｒ１）まで移動される。１群用カムフォロアＣＦ１が接続湾曲区間ＣＧ１-ｅを通過するとき、本体部ＣＦ１-ａは光軸方向前方の部分傾斜面Ｋａｖと後方の傾斜面Ｋａｒとの当接を維持するため、１群用カムフォロアＣＦ１が１群制御カム溝ＣＧ１から脱落したり、案内が解除されたりすることはない。そして、２群レンズ移動枠８と共に２群レンズ保持枠６が光軸方向後方へ移動して撮像素子ホルダ２１に接近すると、２群レンズ保持枠６が離脱位置へ向けて回動し、離脱位置に移動する（図２）。
【００３４】
このズームレンズ鏡筒ＺＬの収納動作において、１群用カムフォロアＣＦ１が、１群制御カム溝ＣＧ１のリード区間ＣＧ１-ｃを経て収納用区間ＣＧ１-ｘ（収納位置Ｒ１）まで移動されると、図８、図９及び図１１に示すように、１群用カムフォロアＣＦ１の本体部ＣＦ１-ａの後方の一部が、１群制御カム溝ＣＧ１の本体案内部ＣＧ１-ａから後方に離脱した状態となるが、上述の通り、頭部ＣＦ１-ｂが両面カム溝である頭部案内部ＣＧ１-ｂとの係合を維持しており、１群用カムフォロアＣＦ１全体としては１群用カムフォロアＣＦ１から脱落することなく保持される。
【００３５】
以上のズームレンズ鏡筒ＺＬの繰出カム機構では、１群制御カム溝ＣＧ１のうちカム環１１の後端面に最も接近する領域である収納用区間ＣＧ１-ｘを、溝幅の広い本体案内部ＣＧ１-ａについては、その一方の傾斜面Ｋａｒが存在せずカム環１１の後端面に開口した片面カム溝として形成したため、本体案内部ＣＧ１-ａを両面カム溝として残した上でその後方を塞ぐ壁部を形成するような形態に比べて、カム環１１の光軸方向長さを短縮することができる。一方、収納用区間ＣＧ１-ｘでは、頭部案内部ＣＧ１-ｂを両面カム溝として残して、１群用カムフォロアＣＦ１に対する保持を維持するように構成しているため、１群用カムフォロアＣＦ１がカム環１１から脱落するおそれがなく、カムフォロア脱落防止用の機構を別途設ける必要がない。頭部案内部ＣＧ１-ｂは本体案内部ＣＧ１-ａよりも溝幅が狭いため、その後方を塞ぐ後端壁部１１ｄを強度的に十分な肉厚（Ｔ）で形成してもなお、上述のカム環１１の軸方向長さの短縮効果が得られる。
【００３６】
また、リード区間ＣＧ１-ｃの後端付近から収納用区間ＣＧ１-ｘに至る領域では、頭部案内部ＣＧ１-ｂによって１群用カムフォロアＣＦ１を案内できるため、本体案内部ＣＧ１-ａを、１群用カムフォロアＣＦ１の案内を考慮した形状にする必要がなく、設計の自由度が高くなる。例えば、本体案内部ＣＧ１-ａの後方の傾斜面Ｋａｒは、リード区間ＣＧ１-ｃから収納用区間ＣＧ１-ｘに向かう１群用カムフォロアＣＦ１の移動軌跡をトレースすることなく、リード区間ＣＧ１-ｃに続く直線状の軌跡のまま（前方の傾斜面Ｋａｆとは異なる軌跡で）カム環１１の後端まで延設されている。これにより、図８に「Ｑ」で示す後方傾斜面Ｋａｒの後端領域には、１群用カムフォロアＣＦ１の力が加わることがなく、強度的な問題が生じない。
【００３７】
本発明との比較例を図２１ないし図２４に示す。この比較例のカム溝ＣＧｎは、リード区間ＣＧｎ-ｃから周方向溝区間ＣＧｎ-ｘに至る基礎軌跡（カムフォロアＣＦｎの移動軌跡）は、先に説明した本発明の実施形態に係る１群制御カム溝ＣＧ１のものと共通している。カム溝ＣＧｎは、カム環１１ｎの後端に臨む周方向溝区間ＣＧｎ-ｘにおいて、対向する一対の傾斜面Ｋｎｆ、Ｋｎｒのうち後方の傾斜面Ｋｎｒが存在しない片面カム溝として形成されている。カムフォロアＣＦｎは、カム溝ＣＧｎの傾斜面Ｋｎｆ、Ｋｎｒの間に保持される円錐状の突起部であり、周方向溝区間ＣＧｎ-ｘでは、カムフォロアＣＦｎの後方の一部がカム溝ＣＧｎの後方に突出している。
【００３８】
この比較例では、カムフォロアＣＦｎとカム溝ＣＧｎの間には、周方向溝区間ＣＧｎ-ｘからのカムフォロアＣＦｎの後方への脱落を防ぐ構造を備えていないため、脱落防止手段を別途設ける必要がある。周知の脱落防止手段の例として、カムフォロアＣＦｎを有する繰出筒１２ｎと別の部材との間に設けた機械的当接部や、繰出筒１２ｎを前方に付勢してカムフォロアＣＦｎをカム溝ＣＧｎの傾斜面Ｋｎｆに押し付ける付勢部材などが挙げられる。しかし、いずれの形態も、カム溝とカムフォロアの間だけで脱落防止構造が完結している本発明の構造に比して、構造の複雑化が避けられない。また、別の位置に設けた機械的当接部と、カム溝ＣＧｎ及びカムフォロアＣＦｎとの間で精度的誤差があると、図２１、図２２及び図２４に示す光軸方向位置よりも後方にずれてカムフォロアＣＦｎが保持されてしまうおそれがある。この場合、単にカム環１１ｎを回転させるだけでは、カム溝ＣＧｎのリード区間ＣＧｎ-ｃ内にカムフォロアＣＦｎをスムーズに進入させられなくなる。
【００３９】
また、比較例では、周方向溝区間ＣＧｎ-ｘまでカムフォロアＣＦｎを案内する必要上、前方の傾斜面Ｋｎｆのみならず後方の傾斜面Ｋｎｒについても、リード区間ＣＧｎ-ｃから周方向溝区間ＣＧｎ-ｘに滑らかに続く（カムフォロアＣＦｎの移動軌跡をトレースした）形状にする必要があり、この後方傾斜面Ｋｎｒの終端部分に、カム環１１ｎの軸線方向への肉厚が極めて薄くなる鋭角状の薄肉部１１ｎｍが形成される。図８に示す本発明実施形態の「Ｑ」領域とは異なり、この薄肉部１１ｎｍは、カムフォロアＣＦｎからの力を受けるため、カムフォロアＣＦｎ経由で矢印Ｆ（図２１）方向に大きな力が作用したときに破損しやすい。特に、図８の「Ｑ」領域での後方傾斜面Ｋａｒとカム環１１後端との間を埋める肉部に比して、薄肉部１１ｎｍは軸方向の肉厚が薄くなっているため、破損のリスクが高くなる。本発明実施形態のズームレンズ鏡筒ＺＬのカム環１１や繰出筒１２のように、カム環１１ｎや繰出筒１２ｎがレンズ鏡筒の外観部材である場合、外力によってカムフォロアＣＦｎから薄肉部１１ｎｍに大きな力が加わることが想定されるため、薄肉部１１ｎｍのような脆弱部分の存在は好ましくない。しかしながら、薄肉部１１ｎｍの形成を避けるべく、周方向溝区間ＣＧｎ-ｘで後方傾斜面Ｋｎｒを残し、その後部をカム環１１ｎの肉部（壁部）で塞ぐような構成を採用すると、カム環１１ｎが光軸方向に長くなってしまい、小型化の要求に反する。
【００４０】
これに対し、本発明の実施形態では、上述の通り、カム環１１の後端部分での１群用カムフォロアＣＦ１の位置制御は、１群制御カム溝ＣＧ１のうち幅狭の頭部案内部ＣＧ１-ｂに行わせ、幅広の本体案内部ＣＧ１-ａは、１群用カムフォロアの移動軌跡をトレースせずにカム環１１後端に開口する形状としたため、比較例の薄肉部１１ｎｍのような脆弱部分が存在しない。換言すれば、本発明の構成によれば、薄肉部１１ｎｍのような脆弱部分が存在しないように本体案内部ＣＧ１-ａの後端形状を自由に定めることが可能になっている。頭部案内部ＣＧ１-ｂはカム環１１の後端に開口されないため、その後部を塞ぐ後端壁部１１ｄは、薄肉部１１ｎｍのような先細形状の薄肉部になることはなく、十分な強度を確保できる。そして、上述したように、頭部案内部ＣＧ１-ｂは本体案内部ＣＧ１-ａよりも溝幅が狭いため、該頭部案内部ＣＧ１-ｂと後端壁部１１ｄを合わせても、カム環１１の軸方向に占めるスペースは、本体案内部ＣＧ１-ａの全体を残存させた場合よりも狭くて済み、カム環１１のコンパクト化の効果を得ることができる。
【００４１】
図１２以下は、本発明の異なる実施形態を示す。以下の各実施形態において、先に説明した第１の実施形態と共通する部分は同符号で示し、説明を省略している。また、比較例との対比で示した第１の実施形態の利点は、以下の各実施形態でも同様に得られるものである。
【００４２】
図１２ないし図１５は第２の実施形態を示す。第１の実施形態では、１群制御カム溝ＣＧ１は本体案内部ＣＧ１-ａの傾斜面Ｋａｆ、Ｋａｒと頭部案内部ＣＧ１-ｂの傾斜面Ｋｂｆ、Ｋｂｒの間に中間底面部Ｋｃを有する二段底形状であり、これに応じて１群用カムフォロアＣＦ１は、本体部ＣＦ１-ａと頭部ＣＦ１-ｂの間に中間環状面ＣＦ１-ｃを有する二段状の突起であったが、第２の実施形態では、１群制御カム溝ＣＧ１０１の内面や１群用カムフォロアＣＦ１０１の外面が、途中に段差のない面一形状になっている点が相違する。
【００４３】
詳細には、１群用カムフォロアＣＦ１０１が１群制御カム溝ＣＧ１０１の収納用区間（周方向溝部）ＣＧ１０１-ｘ内に位置するとき、図１３に示すように、１群用カムフォロアＣＦ１０１のうち繰出筒１２の外周面に近い基部側が、１群制御カム溝ＣＧ１０１による光軸方向後方への移動規制を受けず（カム環１１の後端側に突出し）、外径方向の先端側の一部のみが、１群制御カム溝ＣＧ１０１による光軸方向後方の移動規制を受ける状態となる。第１の実施形態に倣い、１群制御カム溝ＣＧ１０１において、収納用区間ＣＧ１０１-ｘで１群用カムフォロアＣＦ１０１の後方移動規制を行う底部側の両面カム溝部分（図１３の仮想線Ｐ１よりも上方の領域）を頭部案内部（幅狭溝部）ＣＧ１０１-ｂとし、後方移動規制を行わないカム環内周面側の片面カム溝部分（図１３の仮想線Ｐ１よりも下方の領域）を本体案内部（幅広溝部）ＣＧ１０１-ａとする。また、１群用カムフォロアＣＦ１０１において、収納用区間ＣＧ１０１-ｘで頭部案内部ＣＧ１０１-ｂに嵌る先端部分（図１３の仮想線Ｐ１よりも上方の領域）を頭部（小径部）ＣＦ１０１-ｂとし、収納用区間ＣＧ１０１-ｘで本体案内部ＣＧ１０１-ａ内に位置する基部（図１３の仮想線Ｐ１よりも下方の領域）を本体部（大径部）ＣＦ１０１-ａとする。図１２、図１４及び図１５に、１群制御カム溝ＣＧ１０１の本体案内部ＣＧ１０１-ａと頭部案内部ＣＧ１０１-ｂの概念上の境界を示す仮想線Ｐ２を示したが、実際には、本体案内部ＣＧ１０１-ａと頭部案内部ＣＧ１０１-ｂにおける前方の傾斜面（対向壁面）Ｋａｆ１０１、Ｋｂｆ１０１と、後方の傾斜面（対向壁面）Ｋａｒ１０１、Ｋｂｒ１０１はそれぞれ、段差のない面一な（連続した）傾斜面になっている。また、図１２、図１３及び図１５から分かるように、１群用カムフォロアＣＦ１０１は、本体部ＣＦ１０１-ａと頭部ＣＦ１０１-ｂの間に段差のない面一な円錐状部として形成されている。
【００４４】
図１２、図１３及び図１５のように１群用カムフォロアＣＦ１０１が１群制御カム溝ＣＧ１０１の収納用区間ＣＧ１０１-ｘ内に位置する状態では、本体部ＣＦ１０１-ａと頭部ＣＦ１０１-ｂの前面領域が、本体案内部ＣＧ１０１-ａと頭部案内部ＣＧ１０１-ｂの前方の傾斜面Ｋａｆ１０１、Ｋｂｆ１０１と当接して、１群用カムフォロアＣＦ１０１の光軸方向前方への移動が規制される。このとき本体部ＣＦ１０１-ａの後方の一部は１群制御カム溝ＣＧ１０１の後方に突出するが、頭部ＣＦ１０１-ｂが、頭部案内部ＣＧ１０１-ｂにおける光軸方向後方の傾斜面Ｋｂｒ１０１に当接することで、１群制御カム溝ＣＧ１０１から後方への１群用カムフォロアＣＦ１０１の離脱が規制される。よって、第１の実施形態と同様に、収納用区間ＣＧ１０１-ｘで１群用カムフォロアＣＦ１の保持を維持しつつ、カム環１１の光軸方向長さを短縮することができる。また、収納用区間ＣＧ１０１-ｘでは、本体案内部ＣＧ１０１-ａの後方の傾斜面Ｋａｒ１０１を、１群用カムフォロアＣＦ１０１の移動軌跡をトレースせずに、リード区間ＣＧ１０１-ｃに続く直線状の軌跡のままカム環１１の後端まで延設することで、該傾斜面Ｋａｒ１０１の後端部付近で１群用カムフォロアＣＦ１０１からの力を受けることがなく、強度的に優れた構造となる。
【００４５】
図１６ないし図１９は第３の実施形態を示す。この実施形態では、１群用カムフォロアＣＦ１０２と１群制御カム溝ＣＧ１０２の断面形状に関し、第１の実施形態と第２の実施形態のそれぞれの要素が含まれている。まず、１群用カムフォロアＣＦ１０２が１群制御カム溝ＣＧ１０２の収納用区間（周方向溝部）ＣＧ１０２-ｘ内に位置するとき、図１７に示すように、１群用カムフォロアＣＦ１０２のうち基部側が、１群制御カム溝ＣＧ１０２による光軸方向後方の移動規制を受けず（カム環１１の後端側に突出し）、先端側の一部のみが、１群制御カム溝ＣＧ１０２による光軸方向後方の移動規制を受ける状態となる点では、先の各実施形態と共通している。第１の実施形態に倣い、１群制御カム溝ＣＧ１０２において、収納用区間ＣＧ１０２-ｘで１群用カムフォロアＣＦ１０２の後方移動規制を行う両面カム溝部分（図１７の仮想線Ｐ３よりも上方の領域）を頭部案内部（幅狭溝部）ＣＧ１０２-ｂとし、後方移動規制を行わない片面カム溝部分（図１７の仮想線Ｐ３よりも下方の領域）を本体案内部（幅広溝部）ＣＧ１０２-ａとする。また、１群用カムフォロアＣＦ１０２において、頭部案内部ＣＧ１０２-ｂに嵌る先端部分（図１７の仮想線Ｐ３よりも上方の領域）を頭部（小径部）ＣＦ１０２-ｂとし、本体案内部ＣＧ１０２-ａに嵌る基部（図１７の仮想線Ｐ３よりも下方の領域）を本体部（大径部）ＣＦ１０２-ａとする。
【００４６】
１群用カムフォロアＣＦ１０２の頭部ＣＦ１０２-ｂのうち、前側半分を構成する半割前部ＣＦ１０２-ｂｆは、本体部ＣＦ１０２-ａとの間に段差のない面一な円錐状部として形成されている。一方、頭部ＣＦ１０２-ｂの後側半分をなす半割後部ＣＦ１０２-ｂｒは、半割前部ＣＦ１０２-ｂｆよりも小径の円錐状部として形成されており、本体部ＣＦ１０２-ａとの間に中間環状面ＣＦ１０２-ｃによる段差が形成されている。
【００４７】
１群制御カム溝ＣＧ１０２の収納用区間ＣＧ１０２-ｘは、光軸方向前方部分では、本体案内部ＣＧ１０２-ａの前方傾斜面（対向壁面）Ｋａｆ１０２と頭部案内部ＣＧ１０２-ｂの前方傾斜面（対向壁面）Ｋｂｆ１０２が段差のない面一な傾斜面とされている。図１６、図１８及び図１９では、前方傾斜面Ｋａｆ１０２、Ｋｂｆ１０２の境界を仮想線Ｐ４で概念的に示している。一方、収納用区間ＣＧ１０２-ｘの光軸方向後方部分では、本体案内部ＣＧ１０２-ａの後方傾斜面Ｋａｒ（対向壁面）１０２が存在せず（カム環１１の後端に開口され）、頭部案内部ＣＧ１０２-ｂの後方傾斜面（対向壁面）Ｋｂｒ１０２のみが残されている。この後方傾斜面Ｋｂｒ１０２は、１群用カムフォロアＣＦ１０２の頭部ＣＦ１０２-ｂのうち小径の半割後部ＣＦ１０２-ｂｒが当接可能な形状である。後方傾斜面Ｋｂｒ１０２は、収納用区間ＣＧ１０２-ｘからリード区間ＣＧ１０２-ｃに向かう途中で途切れており、リード区間ＣＧ１０２-ｃより先では、頭部案内部ＣＧ１０２-ｂは、その一対の傾斜面で半割前部ＣＦ１０２-ｂｆを案内可能なように（半割後部ＣＦ１０２-ｂｒとは遊嵌関係となるように）、溝幅を広げている。このように後方傾斜面Ｋｂｒ１０２の形成領域が収納用区間ＣＧ１０２-ｘを含む一部のみとされている理由は、１群用カムフォロアＣＦ１０２が収納用区間ＣＧ１０２-ｘからリード区間ＣＧ１０２-ｃへ移動していく際に、半割後部ＣＦ１０２-ｂｒよりも大径の半割前部ＣＦ１０２-ｂｆと後方傾斜面Ｋｂｒ１０２との干渉を避けるためである。
【００４８】
図１６、図１８及び図１９のように１群用カムフォロアＣＦ１０２が１群制御カム溝ＣＧ１０２の収納用区間ＣＧ１０２-ｘ内に位置する状態では、本体部ＣＦ１０２-ａと頭部ＣＦ１０２-ｂの半割前部ＣＦ１０２-ｂｆがそれぞれ、本体案内部ＣＧ１０２-ａと頭部案内部ＣＧ１０２-ｂの前方傾斜面Ｋａｆ１０２、Ｋｂｆ１０２と当接して、１群用カムフォロアＣＦ１０２の光軸方向前方への移動が規制される。このとき本体部ＣＦ１０２-ａの後方の一部は１群制御カム溝ＣＧ１０２の後方に突出するが、頭部ＣＦ１０２-ｂの半割後部ＣＦ１０２-ｂｒが、頭部案内部ＣＧ１０２-ｂにおける後方傾斜面Ｋｂｒ１０２に当接することで、１群制御カム溝ＣＧ１０２から後方への１群用カムフォロアＣＦ１０２の離脱が規制される。よって、第１及び第２の実施形態と同様に、収納用区間ＣＧ１０２-ｘで１群用カムフォロアＣＦ１０２の保持を維持しつつ、カム環１１の光軸方向長さを短縮することができる。また、収納用区間ＣＧ１０２-ｘでは、本体案内部ＣＧ１０２-ａの後方の傾斜面Ｋａｒ１０２を、１群用カムフォロアＣＦ１０２の移動軌跡をトレースせずに、リード区間ＣＧ１０２-ｃに続く直線状の軌跡のままカム環１１の後端まで延設することで、該傾斜面Ｋａｒ１０２の後端部付近で１群用カムフォロアＣＦ１０２からの力を受けることがなく、強度的に優れた構造となる。
【００４９】
図２０は、本発明の第４の実施形態を示す。この実施形態は、１群制御カム溝ＣＧ１０３のうち最もカム環１１の後端面に接近する領域（最後方湾曲区間ＣＧ１０３-ｘ）が、第１ないし第３の実施形態の収納用区間（ＣＧ１-ｘ、ＣＧ１０１-ｘ、ＣＧ１０２-ｘ）のような直線状の周方向溝部ではなく、光軸方向後方に向け凸となる山形軌跡の溝部である点が相違する。１群用カムフォロアＣＦ１は、第１の実施形態と同一形状であるため、同符号で示している。
【００５０】
１群制御カム溝ＣＧ１０３は、１群用カムフォロアＣＦ１の本体部ＣＦ１-ａが嵌る幅広の本体案内部（幅広溝部）ＣＧ１０３-ａと、頭部ＣＦ１-ｂが嵌る幅狭の頭部案内部（幅狭溝部）ＣＧ１０３-ｂを有し、本体案内部ＣＧ１０３-ａと頭部案内部ＣＧ１０３-ｂが一対の中間底面Ｋｃ１０３で接続されている。本体案内部ＣＧ１０３-ａは、最後方湾曲区間ＣＧ１０３-ｘで、前方の傾斜面（対向壁面）Ｋａｆ１０３が残され、後方の傾斜面（対向壁面）Ｋａｒ１０３が存在しない片面カム溝として形成されている。後方の傾斜面Ｋａｒ１０３は、最後方湾曲区間ＣＧ１０３-ｘでの１群用カムフォロアＣＦ１の軌跡をトレースすることなく、最後方湾曲区間ＣＧ１０３-ｘから斜め前方に延びる２つのリード区間ＣＧ１０３-ｃ１、１０３-ｃ２の軌跡と平行にカム環１１の後端まで直線状に延長されて、該カム環１１の後端面に連通している。よって、後方傾斜面Ｋａｒ１０３の後端部付近には、比較例の薄肉部１１ｎｍのように１群用カムフォロアＣＦ１の力を受ける薄肉の脆弱部分が存在しない。
【００５１】
一方、頭部案内部ＣＧ１０３-ｂは、最後方湾曲区間ＣＧ１０３-ｘで、前方の傾斜面（対向壁面）Ｋｂｆ１０３と後方の傾斜面（対向壁面）Ｋｂｒ１０３のいずれも残された両面カム溝として形成されているため、図２０のように１群用カムフォロアＣＦ１の本体部ＣＦ１-ａの後方の一部が１群制御カム溝ＣＧ１０３（カム環１１の後端）の後方に突出する状態でも、頭部案内部ＣＧ１０３-ｂと頭部ＣＦ１-ｂの係合が維持され、１群用カムフォロアＣＦ１がカム環１１から離脱せずに保持される。最後方湾曲区間ＣＧ１０３-ｘにおける、後方傾斜面Ｋｂｒ１０３の後部を塞ぐカム環１１の後端壁部１１ｄの肉厚は、第１の実施形態の後端壁部１１ｄの肉厚（Ｔ）とほぼ一致しており、十分な強度が得られる。
【００５２】
以上、図示実施形態に基づき説明したが、本発明はこれに限定されるものではない。例えば、各実施形態は、カム環１１の後端部分（１群制御カム溝のうちカム環１１の後端面への接近領域）に本発明を適用したものであるが、カム環の前端部分（１群制御カム溝のうちカム環１１の前端面への接近領域）に本発明の特徴となる構成を適用することも可能である。
【００５３】
また、各実施形態のカム溝は、本体案内部（幅広溝部）と頭部案内部（幅狭溝部）のいずれも、その内部の一対の対向壁面が、深さ方向に進むにつれて徐々に互いの間隔を狭くする一対の傾斜面とされている。カムフォロアに対する案内の精度や、カム環を成形する際の生産性（成形型の型抜きのしやすさ）の観点からは、こうした一対の傾斜面を備えた台形状断面のカム溝であることが好ましい。しかし、本発明は、カム溝の一部の対向壁面が、カム環の軸線に対して直交する直交壁面である繰出カム機構などにも適用が可能である。一例を挙げると、第１の実施形態における１群制御カム溝ＣＧ１で、頭部案内部ＣＧ１-ｂの内壁面を、傾斜面Ｋｂｆ、Ｋｂｒに代えてこのような軸直交面として形成することができる。上述のように、１群制御カム溝ＣＧ１による１群用カムフォロアＣＦ１の基本的な移動案内は、本体案内部ＣＧ１-ａと本体部ＣＦ１-ａの関係によって行われるため、頭部案内部ＣＧ１-ｂと頭部ＣＦ１-ｂについては、少なくとも収納用区間ＣＧ１-ｘでの１群用カムフォロアＣＦ１の脱落を防ぐという機能を満たしていれば、形成が可能な範囲において形状の自由度を持たせることができる。さらに、１群用カムフォロアＣＦ１に対する案内精度が確保できるのであれば、頭部案内部ＣＧ１-ｂのみならず本体案内部ＣＧ１-ａについても、その内壁面を、傾斜面Ｋａｆ、Ｋａｒに代えて上記の軸直交面として形成し、１群制御カム溝ＣＧ１の断面形状を「凸」状にすることも可能である。
【００５４】
また、図示実施形態では、１群用カムフォロアＣＦ１の軸直交面ＣＦ１-ｄや、１群制御カム溝ＣＧ１の軸直交面ＣＧ１-ｇの形成により、カム環１１の前端部分での軸方向長の短縮化も図っているが、軸直交面ＣＦ１-ｄや軸直交面ＣＧ１-ｇに相当する部分については、本発明では省略が可能である。
【符号の説明】
【００５５】
６  ２群レンズ保持枠
８  ２群レンズ移動枠
１０  直進案内環
１１  カム環
１１ｄ  後端壁部
１２  繰出筒
２１  撮像素子ホルダ
２２  ハウジング
２６  撮像素子
４０  離脱制御突起
５１  ３群レンズ枠
８０  ２群レンズブロック
１００  シャッタブロック
１５０  ズームモータ
１６０  ＡＦモータ
ＣＦ１  ＣＦ１０１  ＣＦ１０２  １群用カムフォロア
ＣＦ１-ａ  ＣＦ１０１-ａ  ＣＦ１０２-ａ  本体部（大径部）
ＣＦ１-ｂ  ＣＦ１０１-ｂ  ＣＦ１０２-ｂ  頭部（小径部）
ＣＦ１０２-ｂｆ  半割前部
ＣＦ１０２-ｂｒ  半割後部
ＣＦ１-ｃ  中間環状面
ＣＦ２  ２群用カムフォロア
ＣＧ１  ＣＧ１０１  １群制御カム溝
ＣＧ１０２  ＣＧ１０３  １群制御カム溝
ＣＧ１-ａ  ＣＧ１０１-ａ  本体案内部（幅広溝部）
ＣＧ１０２-ａ  ＣＧ１０３-ａ  本体案内部（幅広溝部）
ＣＧ１-ｂ  ＣＧ１０１-ｂ  頭部案内部（幅狭溝部）
ＣＧ１０２-ｂ  ＣＧ１０３-ｂ  頭部案内部（幅狭溝部）
ＣＧ１-ｃ  リード区間
ＣＧ１-ｄ  ズームカム区間
ＣＧ１-ｅ  接続湾曲区間
ＣＧ１-ｆ  終端区間
ＣＧ１-ｘ  ＣＧ１０１-ｘ  ＣＧ１０２-ｘ  収納用区間（周方向溝部）
ＣＧ１０３-ｘ  最後方湾曲区間
ＣＧ２  ２群制御カム溝
Ｋａｆ  Ｋａｆ１０１  本体案内部の前方の傾斜面（対向壁面）
Ｋａｆ１０２  Ｋａｆ１０３  本体案内部の前方の傾斜面（対向壁面）
Ｋａｒ  Ｋａｒ１０１  本体案内部の後方の傾斜面（対向壁面）
Ｋａｒ１０２  Ｋａｒ１０３  本体案内部の後方の傾斜面（対向壁面）
Ｋｂｆ  Ｋｂｆ１０１  頭部案内部の前方の傾斜面（対向壁面）
Ｋｂｆ１０２  Ｋｂｆ１０３  頭部案内部の前方の傾斜面（対向壁面）
Ｋｂｒ  Ｋｂｒ１０１  頭部案内部の後方の傾斜面（対向壁面）
Ｋｂｒ１０２  Ｋｂｒ１０３  頭部案内部の後方の傾斜面（対向壁面）
Ｋｃ  Ｋｃ１０３  中間底面
ＬＧ１  第１レンズ群
ＬＧ２  第２レンズ群
ＬＧ３  第３レンズ群
ＺＬ  ズームレンズ鏡筒
【図１】
2011158592.tif 000003
【図２】
2011158592.tif 000004
【図３】
2011158592.tif 000005
【図４】
2011158592.tif 000006
【図５】
2011158592.tif 000007
【図６】
2011158592.tif 000008
【図７】
2011158592.tif 000009
【図８】
2011158592.tif 000010
【図９】
2011158592.tif 000011
【図１０】
2011158592.tif 000012
【図１１】
2011158592.tif 000013
【図１２】
2011158592.tif 000014
【図１３】
2011158592.tif 000015
【図１４】
2011158592.tif 000016
【図１５】
2011158592.tif 000017
【図１６】
2011158592.tif 000018
【図１７】
2011158592.tif 000019
【図１８】
2011158592.tif 000020
【図１９】
2011158592.tif 000021
【図２０】
2011158592.tif 000022
【図２１】
2011158592.tif 000023
【図２２】
2011158592.tif 000024
【図２３】
2011158592.tif 000025
【図２４】
2011158592.tif 000026